(57)【要約】【課題】プルスキャンで設定した読み取り条件をプッシュスキャンで使用する。【解決手段】画像読み取りシステム５は、端末装置から送信される読み取り指令を受けた場合、予め設定された読み取り条件に基づき原稿の読み取りを行い、読み取った原稿の画像データを端末装置に対して送信するプルスキャン機能部３２と、読み取り条件を記憶する記憶部１５と、送信先とする端末装置が指定され、原稿の読み取り操作が指示された場合、記憶部１５に記憶された読み取り条件の中から選択された読み取り条件に基づいて原稿の読み取りを行い、読み取った原稿の画像データを端末装置に対して送信するプッシュスキャン機能部３４と、を備える。【選択図】図１
2011091531.tif 000002
【特許請求の範囲】
【請求項１】
ネットワークに接続された画像読み取り装置にて原稿を読み取り、読み取った前記原稿の画像データを前記ネットワークに接続された端末装置に送信する画像読み取りシステムであって、
前記画像読み取り装置は、
前記端末装置における前記原稿の読み取りに関する読み取り操作に従い前記端末装置から送信される読み取り指令を受けた場合、予め設定された読み取り条件に基づき前記原稿の読み取りを行い、読み取った前記原稿の画像データを前記端末装置に対して送信するプルスキャン機能部と、
前記読み取り条件を記憶する記憶部と、
送信先とする前記端末装置が指定され、前記原稿の読み取り操作が指示された場合、前記記憶部に記憶された前記読み取り条件の中から選択された前記読み取り条件に基づいて前記原稿の読み取りを行い、読み取った前記原稿の画像データを前記端末装置に対して送信するプッシュスキャン機能部と、を備えることを特徴とする画像読み取りシステム。
【請求項２】
ネットワークに接続され、原稿を読み取り、読み取った前記原稿の画像データを前記ネットワークに接続された端末装置に送信する画像読み取り装置であって、
前記端末装置から送信される読み取り指令を受けた場合、予め設定された読み取り条件に基づき前記原稿の読み取りを行い、読み取った前記原稿の画像データを前記端末装置に対して送信するプルスキャン機能部と、
前記読み取り条件を記憶する記憶部と、
送信先とする前記端末装置が指定され、前記原稿の読み取り操作が指示された場合、前記記憶部に記憶された前記読み取り条件の中から選択された前記読み取り条件に基づいて前記原稿の読み取りを行い、読み取った前記原稿の画像データを前記端末装置に対して送信するプッシュスキャン機能部と、を備えることを特徴とする画像読み取り装置。
【請求項３】
請求項２に記載の画像読み取り装置において、
前記読み取り条件を表示する表示部を更に備え、
前記プッシュスキャン機能部は、読み取った前記原稿の画像データを送る前記端末装置で使用されている言語に関する情報を取得し、前記記憶部に記憶された前記読み取り条件を前記表示部に前記言語で表示することを特徴とする画像読み取り装置。
【請求項４】
請求項２乃至３のいずれかに記載の画像読み取り装置において、
前記プッシュスキャン機能部は、前記ネットワークに接続された前記端末装置から前記読み取り条件を取得し、前記記憶部に記憶された前記読み取り条件に加え、前記端末装置から取得した前記読み取り条件の中から選択された前記読み取り条件に基づいて前記原稿の読み取りを行うことを特徴とする画像読み取り装置。
【請求項５】
請求項２乃至４のいずれか１項に記載の画像読み取り装置において、
前記記憶部は、前記読み取り条件に日時情報やユーザー情報を関連付けて記憶することを特徴とする画像読み取り装置。
【請求項６】
ネットワークに接続され、原稿を読み取り、読み取った前記原稿の画像データを前記ネットワークに接続された端末装置に送信する画像読み取り方法であって、
前記端末装置における前記原稿の読み取りに関する読み取り操作に従い前記端末装置から送信される読み取り指令を受けた場合、予め設定された読み取り条件に基づき前記原稿の読み取りを行い、読み取った前記原稿の画像データを前記端末装置に対して送信するプルスキャン工程と、
前記読み取り条件を記憶する読み取り条件記憶工程と、
前記原稿の読み取り操作が指示された場合、記憶された前記読み取り条件の中から選択された前記読み取り条件に基づいて前記原稿の読み取りを行い、読み取った前記原稿の画像データを前記端末装置に対して送信するプッシュスキャン工程と、を備えることを特徴とする画像読み取り方法。
【発明の詳細な説明】
【技術分野】
【０００１】
本発明は、画像読み取りシステム、画像読み取り装置および画像読み取り方法に関する。
【背景技術】
【０００２】
近年、原稿を読み取る機能を備えたネットワークスキャナーと、複数台のコンピューターとを、ネットワークを介して接続し、ネットワークスキャナーが読み取った画像データをコンピューターへ送信することができるネットワークスキャナーが提案されている。このようなネットワークスキャナーは、下記特許文献１に示すように、プルスキャンとプッシュスキャンの２通りの方法で、ネットワークスキャナーで読み取った原稿の画像データをコンピューターへ送信することができる。
ここで、プルスキャンとは、端末装置におけるユーザーによる原稿の読み取りに関する操作に従って端末装置から送信される読み取り指令に基づき、画像読み取り装置が原稿の読み取りを開始して、読み取った原稿の画像データを端末装置に対して送信する処理をいう。また、プッシュスキャンとは、画像読み取り装置におけるユーザーによる原稿の読み取りに関する操作に従って原稿の読み取りを開始して、読み取った原稿の画像データをユーザーにより指定された端末装置に対して送信する処理をいう。
【先行技術文献】
【特許文献】
【０００３】
【特許文献１】特開平１１−１２７２９８号公報
【発明の概要】
【発明が解決しようとする課題】
【０００４】
しかしながら、ネットワークスキャナーでプッシュスキャンを行う場合、原稿を読み取る条件等の設定は、画像データファイルの圧縮方法、解像度および画像ファイル形式等に限られており、プルスキャンのように詳細な設定を行うことはできなかった。本発明は、プッシュスキャンにおいても、原稿を読み取る条件等を詳細に設定できることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる画像読み取りシステムは、ネットワークに接続された画像読み取り装置にて原稿を読み取り、読み取った前記原稿の画像データを前記ネットワークに接続された端末装置に送信する画像読み取りシステムであって、前記画像読み取り装置は、前記端末装置における前記原稿の読み取りに関する読み取り操作に従い前記端末装置から送信される読み取り指令を受けた場合、予め設定された読み取り条件に基づき前記原稿の読み取りを行い、読み取った前記原稿の画像データを前記端末装置に対して送信するプルスキャン機能部と、前記読み取り条件を記憶する記憶部と、送信先とする前記端末装置が指定され、前記原稿の読み取り操作が指示された場合、前記記憶部に記憶された前記読み取り条件の中から選択された前記読み取り条件に基づいて前記原稿の読み取りを行い、読み取った前記原稿の画像データを前記端末装置に対して送信するプッシュスキャン機能部と、を備えることを特徴とする。
【０００７】
このような構成によれば、プルスキャン機能部で原稿を読み取る際に参照された読み取り条件は、記憶部に記憶され、記憶部に記憶された読み取り条件の中から選択された読み取り条件に基づいて、プッシュスキャン機能部は原稿を読み取る。従って、プルスキャンを行う際に設定された読み取り条件を記憶しておき、プッシュスキャンを行う際に適用できるため、プッシュスキャンを行う場合に、原稿を読み取る条件等を詳細に設定することができる。
【０００８】
［適用例２］
本適用例にかかる画像読み取り装置は、ネットワークに接続され、原稿を読み取り、読み取った前記原稿の画像データを前記ネットワークに接続された端末装置に送信する画像読み取り装置であって、前記端末装置から送信される読み取り指令を受けた場合、予め設定された読み取り条件に基づき前記原稿の読み取りを行い、読み取った前記原稿の画像データを前記端末装置に対して送信するプルスキャン機能部と、前記読み取り条件を記憶する記憶部と、送信先とする前記端末装置が指定され、前記原稿の読み取り操作が指示された場合、前記記憶部に記憶された前記読み取り条件の中から選択された前記読み取り条件に基づいて前記原稿の読み取りを行い、読み取った前記原稿の画像データを前記端末装置に対して送信するプッシュスキャン機能部と、を備えることを特徴とする。
【０００９】
このような構成によれば、プルスキャン機能部で原稿を読み取る際に参照された読み取り条件は、記憶部に記憶され、記憶部に記憶された読み取り条件の中から選択された読み取り条件に基づいて、プッシュスキャン機能部は原稿を読み取る。従って、プルスキャンを行う際に設定された読み取り条件を記憶しておき、プッシュスキャンを行う際に適用できるため、プッシュスキャンを行う場合に、原稿を読み取る条件等を詳細に設定することができる。
【００１０】
［適用例３］
上記適用例にかかる画像読み取り装置は、前記読み取り条件を表示する表示部を更に備え、前記プッシュスキャン機能部は、読み取った前記原稿の画像データを送る前記端末装置で使用されている言語に関する情報を取得し、前記記憶部に記憶された前記読み取り条件を前記表示部に前記言語で表示することを特徴とする。
【００１１】
このような構成によれば、読み取った原稿の画像データを送る端末装置で使用されている言語と同じ言語で、読み取り条件を表示部に表示することができる。
【００１２】
［適用例４］
上記適用例にかかる画像読み取り装置において、前記プッシュスキャン機能部は、前記ネットワークに接続された前記端末装置から前記読み取り条件を取得し、前記記憶部に記憶された前記読み取り条件に加え、前記端末装置から取得した前記読み取り条件の中から選択された前記読み取り条件に基づいて前記原稿の読み取りを行うことを特徴とする。
【００１３】
このような構成によれば、プッシュスキャンを行う場合に、原稿を読み取る条件等をネットワークに接続された端末装置から取得できる。
【００１４】
［適用例５］
上記適用例にかかる画像読み取り装置において、前記記憶部は、前記読み取り条件に日時情報やユーザー情報を関連付けて記憶することを特徴とする。
【００１５】
このような構成によれば、読み取り条件を日時情報やユーザー情報と関連付けて管理できる。
【００１６】
［適用例６］
本適用例にかかる画像読み取り方法は、ネットワークに接続され、原稿を読み取り、読み取った前記原稿の画像データを前記ネットワークに接続された端末装置に送信する画像読み取り方法であって、前記端末装置における前記原稿の読み取りに関する読み取り操作に従い前記端末装置から送信される読み取り指令を受けた場合、予め設定された読み取り条件に基づき前記原稿の読み取りを行い、読み取った前記原稿の画像データを前記端末装置に対して送信するプルスキャン工程と、前記読み取り条件を記憶する読み取り条件記憶工程と、前記原稿の読み取り操作が指示された場合、記憶された前記読み取り条件の中から選択された前記読み取り条件に基づいて前記原稿の読み取りを行い、読み取った前記原稿の画像データを前記端末装置に対して送信するプッシュスキャン工程と、を備えることを特徴とする。
【００１７】
このような方法によれば、プルスキャン機能部で原稿を読み取る際に参照された読み取り条件は、記憶部に記憶され、記憶部に記憶された読み取り条件の中から選択された読み取り条件に基づいて、プッシュスキャン機能部は原稿を読み取る。従って、プルスキャンを行う際に設定された読み取り条件を記憶しておき、プッシュスキャンを行う際に適用できるため、プッシュスキャンを行う場合に、原稿を読み取る条件等を詳細に設定することができる。
【図面の簡単な説明】
【００１８】
【図１】本発明の実施形態に係る画像読み取りシステムの全体構成例を示す図。
【図２】ＭＦＰにおいて想定される１つの処理の流れを示すフローチャート。
【図３】ＭＦＰにおいて想定される他の処理の流れを示すフローチャート。
【発明を実施するための形態】
【００１９】
以下、画像読み取りシステムについて図面を参照して説明する。
【００２０】
（実施形態）
図１は、本発明に係わる画像読み取りシステム５の全体構成を示す図である。この画像読み取りシステム５は、画像読み取り装置として原稿を読み取り画像データを出力する機能、および画像データを印刷する機能を備えた複合機能周辺機器（Ｍｕｌｔｉｆｕｎｃｔｉｏｎ  Ｐｅｒｉｐｈｅｒａｌ：ＭＦＰ）１００と、ＭＦＰ１００と通信してＭＦＰ１００に画像の読み取りを指示したり、ＭＦＰ１００が読み取った画像データを受信し、受信した画像データを保存したりするコンピューターＰＣ１（７５），ＰＣ２（８０）とを具備して構成される。尚、ＭＦＰ１００と、ＰＣ１（７５）やＰＣ２（８０）とは、ＬＡＮ（Ｌｏｃａｌ  Ａｒｅａ  Ｎｅｔｗｏｒｋ）等のネットワーク７０を介して相互通信可能に接続されている。また、このネットワーク７０上には、図示を略すが、ファックス等のネットワークに接続され動作する各種ネットワーク装置が適宜接続された構成であっても良い。
【００２１】
ＰＣ１（７５）やＰＣ２（８０）の内部には、図示は略すが、各種データを記憶するハードディスク等で構成された記憶部が設けられ、この記憶部では主に、ＭＦＰ１００で読み取られた画像データが蓄積される。即ち、ＰＣ１（７５）やＰＣ２（８０）は、ＭＦＰ１００で読み取られた画像データを記憶するためのデータストレージとしての機能を果たすことになる。
【００２２】
また、ＭＦＰ１００は、図示を略したプラテンガラス上に載置、あるいはプラテンガラス上を搬送される原稿からスキャン動作によって図形や写真または文字などを読み取って、デジタルデータ（画像データ）に変換する。このＭＦＰ１００は、ユーザー識別部１０、記憶部１５、通信部２５、制御部３０、表示部３５、操作部４０、画像読み取り部５０、画像処理部５５および印刷部６０を備え、制御部３０が各機能部を制御する。制御部３０は、図示を略すが、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびＣＰＵ（Ｃｅｎｔｒａｌ  Ｐｒｏｃｅｓｓｉｎｇ  Ｕｎｉｔ）をハードウェアとして備え、これらのハードウェアと種々のソフトウェアとが有機的に協働することで制御を実現する。
【００２３】
また、制御部３０は、プルスキャン機能部３２とプッシュスキャン機能部３４を備える。ここで、プルスキャン機能部３２は、プルスキャンの機能を有する。具体的には、ＰＣ１（７５）やＰＣ２（８０）におけるユーザーによる原稿の読み取りに関する操作に従ってＰＣ１（７５）やＰＣ２（８０）から送信される読み取り指令を受けた場合、予め設定された読み取り条件に基づいて、画像読み取り部５０が原稿の読み取りを開始し、読み取った原稿の画像データをＰＣ１（７５）やＰＣ２（８０）に対して送信する。
プッシュスキャン機能部３４は、プッシュスキャンの機能を有する。具体的には、ＭＦＰ１００上でユーザーにより原稿の読み取りを指示する操作が行われた場合、プルスキャン時に用いられて記憶されている読み取り条件に基づいて画像読み取り部５０が原稿の読み取りを開始し、読み取った原稿の画像データをユーザーにより指定されたＰＣ１（７５）やＰＣ２（８０）に対して送信する。尚、画像データの送信先は、表示部３５に表示される情報に基づいて、ユーザーが操作部４０を操作することで指定できる。また、プッシュスキャン機能部３４は、送信先に指定したＰＣ１（７５）やＰＣ２（８０）で設定されている言語の情報を取得し、読み取り情報等を取得した言語に変換して表示部３５に表示する機能を有する。
【００２４】
ユーザー識別部１０は、ＰＣ１（７５）やＰＣ２（８０）のコンピューター名や、これらのコンピューターを使用するユーザーを識別する。本実施形態では、ＭＦＰ１００を使用するユーザーは、予め登録され、使用時にはログイン名やパスワードで認証を受けるように設定されている。また、ＭＦＰ１００においてプルスキャンが実行された場合は、日付情報とコンピューター名を含むユーザー情報を生成する。ここで生成されたユーザー情報や、プルスキャンを実行する際に設定された読み取り条件は、設定情報として関連付けされ、記憶部１５の設定情報記憶部２０に記憶される。尚、設定情報記憶部２０に記憶された種々の情報は、使用される頻度や一定の期間またはデータ量が一定量を超えるまで記憶されても良い。ところで、設定情報は、設定情報記憶部２０に記憶された情報には限定されず、ユーザーが所定の操作を行うことで、ネットワーク７０上のデバイスからプルスキャンの設定情報を捜索し、検索できた設定情報を取得してプッシュスキャン時に適用することができる。
【００２５】
画像読み取り部５０は、何れも図示を略した、照明ランプ、光学系、ＣＣＤ（Ｃｈａｒｇｅ  Ｃｏｕｐｌｅｄ  Ｄｅｖｉｃｅ）等で構成される。読み取り方式は限定されるものではなく、原稿固定走査を行うフラットベッド方式であっても良く、また、原稿移動走査を行うＡＤＦ（オートドキュメントフィーダー）方式であっても良い。この画像読み取り部５０は、制御部３０から送られるスキャン指示に基づき、所定の位置にセットされた原稿に対してスキャン処理を行って、画像データをライン単位に読み取る。読み取った画像データは、画像処理部５５に送られる。
【００２６】
画像処理部５５は、画像読み取り部５０が読み取った画像データを、例えば、色変換データとしてＣＭＹＫデータのような所定の形式に変換する。変換したデータは、操作部４０やＰＣ１（７５），ＰＣ２（８０）からの指示に応じて、記憶部１５に記憶されたり、ＰＣ１（７５），ＰＣ２（８０）に送信されたりする。更に、指示に応じて、変換されたＣＭＹＫデータにプリンター制御コマンドが付加され、印刷部６０に送られて印刷されても良い。印刷部６０の印字方法は限定されず、レーザー方式やインクジェット方式を採用できる。
【００２７】
次に、図２は、ＭＦＰ１００において想定される１つの処理の流れを示すフローチャートである。ここでは、ＰＣ１（７５）は、表示言語が日本語に設定された日本語版コンピューターを想定し、日本語版の管理ソフトウェア、即ち、日本語版ドライバーや日本語版のアプリケーションソフトウェア等がインストールされている。また、ＰＣ２（８０）は、表示言語が英語に設定された英語版コンピューターと想定し、英語版の管理ソフトウェア、即ち、英語版ドライバーや英語版のアプリケーションソフトウェア等がインストールされている。
最初に、ユーザーは、日本語版のＰＣ１（７５）からプルスキャン実行を指示する（ステップＳ２００）。この指示を受け、ＭＦＰ１００はプルスキャンを実行する（ステップＳ２０５）。続いて、ＭＦＰ１００は、プルスキャンを実行した際の読み取り条件を含む設定情報を設定情報１としてユーザー情報と関連付けして記憶する（ステップＳ２１０）。
【００２８】
次に、ユーザーは、ＭＦＰ１００から英語版のＰＣ２（８０）に対するプッシュスキャンを選択する（ステップＳ２１５）。この選択を受けて、ＭＦＰ１００は、ＰＣ２（８０）が英語版であることを取得し、設定情報記憶部２０に記憶されている設定情報を英語に変換して表示部３５に表示する（ステップＳ２２０）。
続いて、ユーザーは、ＭＦＰ１００に表示される情報の中から、設定情報１を選択してプッシュスキャンの実行を指示する（ステップＳ２２５）。この指示を受けて、ＭＦＰ１００は、設定情報記憶部２０に記憶され、ユーザーに関連付けられている設定情報の中から、ユーザーにより選択された設定情報１を読み込み、読み込んだ設定情報１に含まれる読み取り条件をＭＦＰ１００の読み取り条件として設定する（ステップＳ２３０）。
【００２９】
続いて、ＭＦＰ１００は、設定情報１に含まれる読み取り条件に基づいて画像データを読み取り、読み取った画像データを英語版のＰＣ２（８０）に送信する（ステップＳ２３５）。
次に、ユーザーは、ＭＦＰ１００から送られた画像データをアプリケーションソフト等でＰＣ２（８０）に表示させて視認する（ステップＳ２４０）。
以上の処理により、プルスキャンを実行する際に設定した読み取り条件を、プッシュスキャンを実行する際に呼び出して読み取り条件として設定することができる。また、送信先に指定したＰＣ２（８０）が設定されている言語が英語であることを示す情報を取得し、表示部３５に表示する情報を英語で表示するため、ユーザーが操作しやすい環境を提供できる。
【００３０】
次に、図３は、ＭＦＰ１００において想定される他の処理の流れを示すフローチャートである。ここでは、ＰＣ１（７５）は、表示言語が中国語に設定された中国語版コンピューターを想定し、中国語版の管理ソフトウェア、即ち、中国語版ドライバーや中国語版のアプリケーションソフトウェアがインストールされている。ここで、管理ソフトウェアは、ユーザーがプルスキャンの設定を変更した場合、変更した設定情報を識別可能に保存できるものとする。
最初に、ユーザーは、ＭＦＰ１００から中国語版のＰＣ１（７５）に対するプッシュスキャンを選択する（ステップＳ２５０）。この選択を受けて、ＭＦＰ１００は、ＰＣ１（７５）が中国語版であることを取得し、設定情報記憶部２０に記憶されている設定情報を中国語に変換して表示部３５に表示する（ステップＳ２５５）。
【００３１】
次に、ＭＦＰ１００は、ネットワーク７０上のデバイスからプルスキャンの設定情報を捜索する（ステップＳ２６０）。これを受けて、設定情報を管理ソフトウェアに保存しているコンピューターがＭＦＰ１００に対して通知を行う。
この通知を受けて、ＭＦＰ１００は、コンピューターから設定情報を取得し、取得した設定情報と、自身が記憶している設定情報を表示部３５に表示する（ステップＳ２６５）。
続いて、ユーザーは、表示部３５に表示された設定情報の中から、所望の設定情報２を選択する（ステップＳ２７０）。
【００３２】
この選択を受けて、ＭＦＰ１００は、選択された設定情報２に含まれる読み取り条件をＭＦＰ１００の読み取り条件として設定する（ステップＳ２７５）。続いて、ＭＦＰ１００は、設定情報２に含まれる読み取り条件に基づいて画像データを読み取り、読み取った画像データを中国語版のＰＣ１（７５）に送信する（ステップＳ２８０）。
次に、ユーザーは、ＭＦＰ１００から送られた画像データをアプリケーションソフト等でＰＣ１（７５）に表示させて視認する（ステップＳ２８５）。
以上の処理により、ネットワークに接続されたデバイスが保存するプルスキャンの設定情報を取得し、取得した設定情報に基づいてプッシュスキャンを行うことができる。
【００３３】
本発明の実施形態について、図面を参照して説明したが、具体的な構成は、この実施形態に限られるものではなく、本発明の要旨を逸脱しない範囲の設計変更等も含まれる。例えば、画像読み取り装置としてＭＦＰ１００を想定したが、これに限定されるものではなく、ネットワークスキャナー機能を有する装置であれば、どのような様態であっても良い。
また、以上のような手法を実施する装置は、単独の装置によって実現される場合もあれば、複数の装置を組み合わせることによって実現される場合もあり、各種の態様を含むものである。
【符号の説明】
【００３４】
５…画像読み取りシステム、１０…ユーザー識別部、１５…記憶部、２０…設定情報記憶部、２５…通信部、３０…制御部、３２…プルスキャン機能部、３４…プッシュスキャン機能部、３５…表示部、４０…操作部、５０…画像読み取り部、５５…画像処理部、６０…印刷部、７０…ネットワーク、７５…ＰＣ１、８０…ＰＣ２、１００…ＭＦＰ。
【図１】
2011091531.tif 000003
【図２】
2011091531.tif 000004
【図３】
2011091531.tif 000005